(57)【要約】【課題】  柵類の内側から目隠板を取付けられるようにして、外部に足場を設置することなく必要最小数の作業者による目隠板の取付けを可能にすることである。【解決手段】  座板２に所定間隔をおいて一対のボルト１が固着された外側金具Ｍ11と、内側金具Ｍ12と、前記ボルト１の外径Ｄよりも小さなボルト孔６が形成された弾性座板Ｋとを備える取付金具Ｍ1 を使用して、目隠板Ｐの外側及び内側に外側金具Ｍ11及び弾性座板Ｋをそれぞれ配置して、外側金具Ｍ11の各ボルト１を目隠板Ｐ及び弾性座板Ｋの各ボルト孔４１，６に挿通することにより、目隠板Ｐに対して外側金具Ｍ11を仮保持しておき、柵Ｆの内側において、当該柵Ｆの縦桟Ｃの外側にクランプ板部３を配置した内側金具Ｍ12の連結板部４と外側金具Ｍ11の座板２とを、当該座板２と一体のボルト１とナット７を介して連結して、柵Ｆの内側からの作業のみによって柵Ｆに目隠板Ｐを取付ける。【選択図】    図４
2008101420.tif 000002
【特許請求の範囲】
【請求項１】
歩道橋の鉄柵、建物のベランダ柵等の柵類に目隠板を取付けるのに使用される取付金具であって、
前記目隠板の外側に配置される座板に所定間隔をおいて一対のボルトが固着された外側金具と、
前記柵類の内側から桟の外側を覆うように配置される略コの字又はＵ字状のクランプ板部の開口に、当該開口においてそれぞれ外側にほぼ直角に折り曲げられて一対の連結板部が形成されて、各連結板部にボルト孔が形成された内側金具とから成り、
前記目隠板に形成された２個１組のボルト孔に対して当該目隠板の外側から前記外側金具の一対のボルトを挿通して、前記目隠板の内側においてクランプ板部により前記桟の外側を覆った内側金具の一対の連結板部の各ボルト孔に外側金具の各ボルトを挿通して、当該各ボルトとナットとを螺合することにより、柵類に目隠板を取付けることを特徴とする目隠板の取付金具。
【請求項２】
前記目隠板と内側金具の一対の連結板部との間には、弾性材から成る弾性座板が配設され、当該弾性座板には、外側金具のボルトの外径よりも小さな一対のボルト孔が形成されていることを特徴とする請求項１に記載の目隠板の取付金具。
【請求項３】
前記内側金具の各連結板部は、幅方向の中央部で折り曲げられて手前側にバネ板部が形成された二重板構造になっていることを特徴とする請求項１又は２に記載の目隠板の取付金具。
【請求項４】
歩道橋の階段部の鉄柵の桟に対して前記階段部の傾斜方向に沿って取付可能なように、外側金具の一対のボルト又は内側金具の連結板部の一対のボルト孔を結ぶ線分と、内側金具のクランプ板部の両側面とが前記階段部の傾斜角度でもって交差していることを特徴とする請求項１ないし３のいずれかに記載の目隠板の取付金具。
【請求項５】
請求項２に記載の取付金具を使用して、歩道橋の鉄柵、建物のベランダ柵等の柵類に目隠板を取付ける方法であって、
目隠板の外側及び内側に外側金具及び弾性座板をそれぞれ配置して、外側金具の各ボルトを目隠板及び弾性座板の各ボルト孔に挿通することにより、目隠板に対して外側金具を仮保持しておき、
前記柵類の内側において、当該柵類の桟の外側にクランプ板部を配置した内側金具の連結板部と外側金具の座板とを、当該座板と一体のボルトとナットを介して連結して、柵類に目隠板を取付けることを特徴とする目隠板の取付方法。
【発明の詳細な説明】
【技術分野】
【０００１】
本発明は、歩道橋の鉄柵や建物のベランダ柵等の柵類に目隠板を取付けるのに使用される取付金具、及び当該取付金具を使用した目隠板の取付方法に関するものである。
【背景技術】
【０００２】
従来の目隠板の取付金具Ｍ’としては、図１１に示されるものが多用されている。この取付金具Ｍ’は、Ｕ字ボルト５１と、目隠板Ｐの内外に配置される一対の平座板５２，５３と、前記Ｕ字ボルト５１の両端のボルト部５１ａに螺合される一対のナット５４とで構成される。
【０００３】
上記取付金具Ｍ’を使用して目隠板Ｐを歩道橋等の柵類に取付けるには、目隠板Ｐの内外にそれぞれ作業者を配置して、内側の作業者は、柵類の内側から縦桟Ｃ1 の外側にＵ字ボルト５１を配して、内側の平座板５３及び目隠板Ｐに形成された各ボルト孔５３ａ，４１に前記Ｕ字ボルト５１のボルト部５１ａを挿通して、当該ボルト部５１ａを目隠板Ｐの外側に突出させる。外側の作業者は、目隠板Ｐの外側に突出したＵ字ボルト５１のボルト部５１ａを外側の平座板５３のボルト孔５３ａに挿通して、前記各ボルト部５１ａにナット５４を螺合させる。
【０００４】
従来の取付金具Ｍ’を使用して目隠板Ｐを歩道橋等の柵類に取付ける方法では、以下のような問題があった。
（１）目隠板の内外にそれぞれ作業者を配置して、各作業者が組んで作業を行う必要があるため、仕事量に対する作業者の数が増加して能率が悪かった。
（２）歩道橋やベランダの高所で作業を行う場合には、外側の作業者には足場が必要となり、外側の作業者は、ナット５４、平座板５３等の小物又は微細部品を扱うために、通行人の安全確保のために、作業途中で前記小物部品を落下させた場合の対策が必要となる。なお、上記足場は、目隠板のみの取付作業、或いはその修復作業を行う場合においても、当然に必要となるため、作業費が嵩む。
（３）特に、歩道橋においては、歩行者又は車両の通過により、或いは風圧によって、橋体に微振動が発生し、長期間に亘ってナットの緩みを防止するために、バネ座金等が用いられているが、徒に微細部品の数が増すことになる。
（４）特に、歩道橋の階段部においては、Ｕ字ボルト５１のボルト部５１ａが外側に露出状態で突出していて、歩行者が接触して怪我をする恐れがあるため、対策として高価な袋ナット等を使用して、ボルト部５１ａの露出を防止する必要があった。
【０００５】
一方、柵類の内側から取付作業ができて、外側に突出物のない目隠板の取付構造として、特許文献１に記載のものが知られている。この目隠板の取付構造は、目隠板の内側にレールを一体成形するか、或いは別体のレールを後付けして、柵類の桟をクランプするクランプ部に連設された一対の連結板部と前記レールとをボルト・ナットで連結する構成であるため、以下のような問題があった。
（１）ボルト頭部がレール内に完全収容される構造であるため、レールが厚くなって桟と目隠板との距離が約１０ｍｍ離れてしまい、目隠板として要求される桟に対する密着性がなくなる。
（２）レール後付けの構造は、レール分だけ目隠板の重量が増すのみならず、レールの固着作業に手間を要すると共に、レール一体成形の目隠板は、目隠板以外の用途が制限されて汎用性に欠けるため、製品コストが高まる。
（３）桟に対するレールの固着はしっかりしていても、目隠板に対するレールの固着構造が十分でない場合には、目隠板の脱落の恐れがあって危険であり、これを防止するには、目隠板に対してレールをボルト・ナット、ビス等を使用して確実に固着する必要がある。
（４）目隠板は採光や防犯の観点から、すりガラスのように半透明のものが多く、外部からレールが影となって投影されて、柵類の景観又は美観が害される。
【特許文献１】実用新案登録第３０１４１６６号公報
【発明の開示】
【発明が解決しようとする課題】
【０００６】
本発明は、柵類の内側から目隠板を取付けられるようにして、外部に足場を設置することなく必要最小数の作業者による目隠板の取付けを可能にすることを課題としている。
【課題を解決するための手段】
【０００７】
上記課題を解決するための請求項１の発明は、歩道橋の鉄柵、建物のベランダ柵等の柵類に目隠板を取付けるのに使用される取付金具であって、前記目隠板の外側に配置される座板に所定間隔をおいて一対のボルトが固着された外側金具と、前記柵類の内側から桟の外側を覆うように配置される略コの字又はＵ字状のクランプ板部の開口に、当該開口においてそれぞれ外側にほぼ直角に折り曲げられて一対の連結板部が形成されて、各連結板部にボルト孔が形成された内側金具とから成り、前記目隠板に形成された２個１組のボルト孔に対して当該目隠板の外側から前記外側金具の一対のボルトを挿通して、前記目隠板の内側においてクランプ板部により前記桟の外側を覆った内側金具の一対の連結板部の各ボルト孔に外側金具の各ボルトを挿通して、当該各ボルトとナットとを螺合することにより、柵類に目隠板を取付けることを特徴としている。
【０００８】
請求項１の発明によれば、目隠板に外側金具を仮保持させておくことにより、当該目隠板の内側において、外側金具のボルトを内側金具の連結板部のボルト孔に挿通して、当該ボルトとナットとを螺合することにより、柵類の外側に足場を設置することなく、柵類の内側から一人の作業者によって当該柵類に目隠板を取付けることができる。また、目隠板の外側に突出部が存在しないので、歩道橋の低い部分において、歩行者が通行しても引っ掛かって怪我をする恐れがない。
【０００９】
また、請求項２の発明は、請求項１の発明において、前記目隠板と内側金具の一対の連結板部との間には、弾性材から成る弾性座板が配設され、当該弾性座板には、外側金具のボルトの外径よりも小さな一対のボルト孔が形成されていることを特徴としている。
【００１０】
請求項２の発明によれば、目隠板の外側に配置した外側金具の各ボルトを目隠板、及び弾性座板の各ボルト孔に挿通させると、弾性座板が弾性材で形成され、しかも当該弾性座板に形成されたボルト孔は前記ボルトの外径よりも小さいために、外側金具のボルトが弾性座板のボルト孔の周縁に引っ掛かって、目隠板に対して外側金具を仮保持できる。また、目隠板が直接に柵類の桟に当接しなくなって、目隠板の損傷が防止される。
【００１１】
また、請求項３の発明は、請求項１又は２の発明において、前記内側金具の各連結板部は、幅方向の中央部で折り曲げられて手前側にバネ板部が形成された二重板構造になっていることを特徴としている。
【００１２】
請求項３の発明によれば、内側金具の各連結板部の手前側にバネ板部が一体に設けられた二重板構造であるため、別体の座金が不要になると共に、施工時、及び施工後において別体の座金のように緩衝部材の脱落の恐れがなくて、施工が容易となる。
【００１３】
また、請求項４の発明は、請求項１ないし３のいずれかの発明において、歩道橋の階段部の鉄柵の桟に対して前記階段部の傾斜方向に沿って取付可能なように、外側金具の一対のボルト又は内側金具の連結板部の一対のボルト孔を結ぶ線分と、内側金具のクランプ板部の両側面とが前記階段部の傾斜角度でもって交差していることを特徴としている。
【００１４】
請求項４の発明によれば、歩道橋の階段部の鉄柵に取付けられている目隠板の取付構造として、桟を挟んだＵ字ボルトを階段部の傾斜角度だけ傾斜させて取付ける構造があり、目隠板の清掃等の補修時において、既設のＵ字ボルトの各ボルト部のピッチと、請求項４の発明に係る取付金具の外側金具の各ボルトのピッチとが同一であることを条件として、請求項４の発明に係る取付金具と交換して目隠板の補修を行える。
【００１５】
また、請求項５の発明は、請求項２に記載の取付金具を使用して、歩道橋の鉄柵、建物のベランダ柵等の柵類に目隠板を取付ける方法であって、目隠板の外側及び内側に外側金具及び弾性座板をそれぞれ配置して、外側金具の各ボルトを目隠板及び弾性座板の各ボルト孔に挿通することにより、目隠板に対して外側金具を仮保持しておき、前記柵類の内側において、当該柵類の桟の外側にクランプ板部を配置した内側金具の連結板部と外側金具の座板とを、当該座板と一体のボルトとナットを介して連結して、柵類に目隠板を取付けることを特徴としている。
【００１６】
請求項５の発明によれば、目隠板に形成された２個１組となった多数組のボルト孔と弾性座板を利用して、当該目隠板の外側に多数の外側金具を配置して目隠板に対して仮保持した状態で、目隠板を柵類の外側に配置する。次に、柵類の内側において、柵類の桟の外側にクランプ板部を配置した内側金具の一対のボルト孔に、目隠板に仮保持された外側金具の一対のボルトを挿通して、当該ボルトにナットを螺合させると、柵類に対して目隠板が取付けられる。このように、請求項５の発明によれば、柵類の外側に足場を設置することなく、柵類の内側において、しかも一人の作業により、柵類に対して目隠板を取付けられ、しかも柵類の内側においてボルトとナットの螺合作業を行うので、螺合のし損じ、或いは経年使用によりナットが外れた場合でも、当該ナットが歩道橋の外部に落下する恐れがなくなって、安全でもある。
【発明の効果】
【００１７】
本発明によれば、柵類の外側に足場を設置することなく、柵類の内側において、しかも一人の作業により、柵類に対して目隠板を取付けられ、しかも柵類の内側においてボルトとナットの螺合作業を行うので、螺合のし損じ、或いは経年使用によりナットが外れた場合でも、当該ナットが歩道橋の外部に落下する恐れがなくなって、安全でもある。また、目隠板の外側に突出部が存在しないので、歩道橋の低い部分において、歩行者が通行しても引っ掛かって怪我をする恐れもない。
【発明を実施するための最良の形態】
【００１８】
以下、複数の実施例を挙げて、本発明について更に詳細に説明する。
【実施例１】
【００１９】
最初に、図１ないし図４を参照して、実施例１の取付金具Ｍ1 について説明する。図１は、歩道橋の階段部の柵Ｆに目隠板Ｐが取付けられた状態の斜視図であり、図２（イ），（ロ）は、それぞれ歩道橋の階段部等の傾斜部に取付けられる目隠板Ｐに形成される２個１組の多数のボルト孔４１の異なる形成方向を示す正面図であり、図３は、実施例１の取付金具Ｍ1 の分解斜視図であり、図４（イ），（ロ）は、それぞれ歩道橋の階段部の柵Ｆに目隠板Ｐを取付ける途中、及び取付後の取付金具Ｍ1 の部分の断面図である。歩道橋の階段部等のような傾斜を有する柵に取付けられる目隠板Ｐは、平行四辺形状であって、２個１組となった多数のボルト孔４１が縦横両方向に沿ってそれぞれ所定ピッチで多数組形成されるが、図１及び図２に示されるように、歩道橋の階段部等の傾斜部の柵Ｆに取付けられる目隠板Ｐに形成される２個１組のボルト孔４１は、図２（イ）に示されるように、１組となっている２個のボルト孔４１を結ぶ線分が水平な場合と、図２（ロ）に示されるように、目隠板Ｐの傾斜辺に平行な場合とがある。なお、図２において、Ｌ1 ，Ｌ2 は、それぞれ水平線及び垂直線であり、Ｌ3 は、水平線Ｌ1 に対して角度（θ）だけ傾斜した傾斜線を示す。
【００２０】
実施例１の取付金具Ｍ1 は、図２（イ）で示される目隠板Ｐに対応させた金具である。取付金具Ｍ1 は、目隠板Ｐの外側に配置される外側金具Ｍ11と、目隠板Ｐを柵Ｆの縦桟Ｃに前記外側金具Ｍ11と協働して部分クランプするために、当該目隠板Ｐの内側に配置される内側金具Ｍ12と、前記縦桟Ｃと目隠板Ｐとの間に配設されるゴム等の弾性材から成る弾性座板Ｋとから成る。外側金具Ｍ11は、目隠板Ｐに形成された２個１組のボルト孔４１のピッチＱと同一間隔をおいた一対のボルト１が長方形状の座板２に溶接等により固着されたものである。内側金具Ｍ12は、柵Ｆを構成する縦桟Ｃの外側を覆うようにして配置される断面偏平コの字形のクランプ板部３と、当該クランプ板部３の開口３ａに、当該開口３ａにおいてそれぞれ外側にほぼ直角に折り曲げられた部分の幅方向の略中央部を、更に内側にほぼ１８０°折り曲げて形成された二重板構造の連結板部４及びバネ板部Ｓ1 とから成る。二重板構造の連結板部４及びバネ板部Ｓ1 には、外側金具Ｍ11を構成する一対のボルト１のピッチＱと同一ピッチでボルト孔４ａ，Ｓ1aが形成されている。実施例１のバネ板部Ｓ1 は、非使用時において連結板部４に対して小さな角度を有して一体に形成され、目隠板Ｐを縦桟Ｃに対してクランプする際に、バネ板部Ｓ1 は連結板部４の側に弾性変形されることにより、バネ作用を果たす。内側金具Ｍ12に、例えば板厚１．２ｍｍ程度のステンレス鋼で形成することにより、バネ板部Ｓ1 にバネ作用（弾性復元作用）を付与させられる。
【００２１】
弾性座板Ｋは、目隠板Ｐの取付後（クランプ時）において、縦桟Ｃ及び内側金具Ｍ12の連結板部４と目隠板Ｐとの間に配設される部材であって、目隠板Ｐの取付後においては、目隠板Ｐが縦桟Ｃに直接に当接するのを回避して緩衝作用を果たすと共に、施工中（目隠板Ｐの取付途中）においては、当該目隠板Ｐに対して外側金具Ｍ11を仮保持させる機能を果たし、弾性座板Ｋに後者の機能を果たさせるのは、本発明の特徴の一つである。弾性座板Ｋは、外側金具Ｍ11の座板２及び内側金具Ｍ12の両側の各クランプ板部３を合成させた形状とほぼ同一形状であって、高さ方向の中央部に横方向に沿って長孔状のボルト孔６が形成されている。このボルト孔６に外側金具Ｍ11のボルト１を挿通した場合に、当該ボルト１の外周の雄螺子部１ａが引っ掛かり易いように、長孔状のボルト孔６の幅Ｗは、外側金具Ｍ11のボルト１の外径（Ｄ）よりも小さく定められている。なお、弾性座板Ｋには、長孔状のボルト孔６に替えて、外側金具Ｍ11の２個のボルト１のピッチＱと同一ピッチであって、当該ボルト１の外径（Ｄ）よりも小さな内径の２個のボルト孔を設けることも可能である。
【００２２】
そして、実施例１の取付金具Ｍ1 を使用して、歩道橋の階段部の柵Ｆに目隠板Ｐを取付けるには、以下のようにして行う。図５は、目隠板Ｐに外側金具Ｍ11を仮保持した状態の部分拡大斜視図であり、図６は、柵Ｆの各縦桟Ｃに目隠板Ｐが取付けられた（クランプされた）状態の部分拡大斜視図である。まず、図４（イ）及び図５に示されるように、目隠板Ｐに形成された２個１組となった多数組のボルト孔４１の部分の外側に外側金具Ｍ11をそれぞれ配置して、２本の各ボルト１を目隠板Ｐの１組の各ボルト孔４１に挿通して、目隠板Ｐの内側に突出した外側金具Ｍ11の各ボルト１を、目隠板Ｐの内側に配置した弾性座板Ｋのボルト孔６に挿通させる。弾性座板Ｋはゴム等の弾性材で形成され、しかも弾性座板Ｋに形成されたボルト孔６の幅（Ｗ）は、外側金具Ｍ11のボルト１の外径（Ｄ）よりも小さいという寸法関係を有するので、外側金具Ｍ11のボルト１を弾性座板Ｋのボルト孔６に挿通することにより、弾性座板Ｋのボルト孔６の周縁部が弾性変形されて、ボルト孔６の幅が拡げられる。このため、前記ボルト１の外周の雄螺子部１ａに弾性座板Ｋのボルト孔６の周縁部が喰い込んで、ボルト１と弾性座板Ｋとが分離されてないように軽く連結された状態となる。これにより、目隠板Ｐの２個１組となった多数組のボルト孔６の外側の部分には、それぞれ外側金具Ｍ11が配置されて目隠板Ｐに仮保持される。
【００２３】
次に、図４（ロ）及び図６に示されるように、多数個の外側金具Ｍ11が仮保持された目隠板Ｐを柵Ｆを構成する各縦桟Ｃの外側に配置して、柵Ｆの内側において、縦桟Ｃの外側を内側金具Ｍ12のクランプ板部３で覆うことにより、連結板部４及びバネ板部Ｓ1 の各ボルト孔４ａ、Ｓ1aに、目隠板Ｐに仮保持されて、当該目隠板Ｐの内側に突出している外側金具Ｍ11の各ボルト１を挿通させて、各ボルト１に対してナット７を螺合させる。これにより、目隠板Ｐが柵Ｆの縦桟Ｃの側に引き寄せられて、目隠板Ｐは弾性座板Ｋを介して縦桟Ｃに当接した状態で、縦桟Ｃに対して目隠板Ｐの２個１組のボルト孔４１の部分が締め付けられる（クランプされる）。ここで、縦桟Ｃに対して目隠板Ｐを締め付けるには、目隠板Ｐの四隅部、及び中央部を最初に締め付け、その後に残りの部分を順次締め付けることが望ましい。外側金具Ｍ11のボルト１に対してナット７を締め込むと、内側金具Ｍ12のバネ板部Ｓ1 のクランプ板部３に対する形成角度が更に小さくなるように弾性変形されて、振動等によるナット７の緩みが防止される。このように、内側金具Ｍ12にバネ板部Ｓ1 が一体形成されているために、別体のバネ座金の使用が不要になって、取付金具Ｍ1 の部品点数が少なくなると共に、目隠板Ｐの取付時（締付時）における座金の紛失、及び落下を防止できる。なお、図４（ロ）の左右の各バネ板部Ｓ1 は、それぞれクランプ時、及び非クランプ時における状態を示す。
【００２４】
上記した作業は、全て柵Ｆの内側において、一人の作業者により行うことが可能であって、柵Ｆの内側において作業を行うために、仮にナット７等の小物部品を落下させたとしても、柵Ｆの内部であるために、外部を通る歩行者等に当たって怪我をする恐れはない。また、目隠板Ｐの外部には、平板状をした外側金具Ｍ11の座板２が露出配置されているのみであって、従来の取付金具Ｍ’のＵ字ボルト５１のように、目隠板Ｐの外側に突出する突出物が存在しないために、歩行者が突出物に引っ掛かって怪我をする恐れもない。更に、目隠板Ｐの取付作業を全て柵Ｆの内側において行うにもかかわらず、特許文献１の取付構造と異なって、目隠板Ｐは、柵Ｆを構成する構造物である縦桟Ｃに対して弾性座板Ｋの板厚分だけ離れて配置されるのみであって、当該縦桟Ｃに対して最も近接させられる。なお、図１において、２１，２２は、それぞれ鉄柵Ｆの支柱、及び手摺りを示す。
【実施例２】
【００２５】
また、目隠板Ｐに形成される２個１組のボルト孔６が傾斜線Ｌ3 の方向に沿って形成されている場合には、図７に示されるような取付金具Ｍ2 が使用される。取付金具Ｍ2 を構成する外側金具Ｍ11及び弾性座板Ｋは、前記取付金具Ｍ1 のものと同一であるが、内側金具Ｍ12’のみが異なる。即ち、内側金具Ｍ12’の連結板部４’及びバネ板部Ｓ1'、並びにクランプ部３’の開口３a'と対向する部分の上下の各端縁が前記傾斜線Ｌ3 と平行になるように形成されている点が前記内側金具Ｍ12と異なる。なお、外側金具Ｍ11及び弾性座板Ｋは、角度（θ）だけ傾斜させて配置すればよい。
【００２６】
また、歩道橋の踊り場、道路横断部の柵に使用される目隠板は、階段部に使用されるものと異なって長方形状であり、２個１組となった多数組のボルト孔が水平方向に形成されている。歩道橋の踊り場、道路横断部においても、柵の内側において目隠板の締付作業（クランプ作業）を行えるのであるが、特記すべき利点は、柵の内側において目隠板Ｐの締付作業を行えるので、従来の取付金具Ｍ’では、不可欠であった足場が不要となることである。また、各取付金具Ｍ1,Ｍ2 の外側金具Ｍ11の２個のボルト１のピッチＱを、従来の取付金具Ｍ’のＵ字ボルト５１のボルト部５１ａのピッチＱと同一にすると、目隠板Ｐの修復作業の際に、従来の取付金具Ｍ’に替えて、本発明に係る取付金具Ｍ1,Ｍ2 の使用が可能となる。
【実施例３】
【００２７】
図８−Ａ（イ）には、本発明の実施例３の取付金具Ｍ3 が示されている。
【実施例４】
【００２８】
図８−Ａ（ロ）には、本発明の実施例４の取付金具Ｍ4 が示されている。
【実施例５】
【００２９】
図８−Ｂ（ハ）には、本発明の実施例５の取付金具Ｍ5 が示されている。取付金具Ｍ3 ，Ｍ4 は、取付金具Ｍ1 に対して内側金具Ｍ12'', Ｍ12''' を構成するバネ板部Ｓ3 ，Ｓ4 の構成が異なるのみであって、他の構成は全て同一であるので、同一部分には同一符号を付してある。即ち、取付金具Ｍ3 のバネ板部Ｓ3 は、非変形時において連結板部４と平行となるように形成されていて、両者の間に同一幅の空間部８の幅は同一となっており、取付金具Ｍ4 のバネ板部Ｓ4 は、連結板部４とで形成される空間部８の幅が中央部で最大となるようにわん曲されており、いずれもバネ作用（ナットの緩止め作用）を高めるための形状である。また、取付金具Ｍ5 は、取付金具Ｍ1 に対して内側金具Ｍ52の全体構成が異なり、内側金具Ｍ52は、バネ板部を備えておらず、別体のバネ座金９を使用して、目隠板Ｐを縦桟Ｃに取付ける構成である。
【実施例６】
【００３０】
図９（イ）には、本発明の実施例６の取付金具Ｍ6 が示されている。
【実施例７】
【００３１】
図９（ロ）には、本発明の実施例７の取付金具Ｍ7 が示されている。実施例６，７の取付金具Ｍ6,Ｍ7 は、柵Ｆを構成する縦桟Ｃ',Ｃ''の断面形状が異なり、それぞれ正方形状、円形状をなしており、これに対応して目隠板Ｐに形成する２個１組のボルト孔４１のピッチＱ',Ｑ''は、薄板状の縦桟Ｃに対応する前記ピッチＱよりも大きくなっている。取付金具Ｍ6,Ｍ7 を構成する外側金具Ｍ61, Ｍ71は、前記外側金具Ｍ11に対して２個のボルト１のピッチのみが異なり、内側金具Ｍ62, Ｍ72は、前記内側金具Ｍ12, Ｍ12''に対してクランプ板部３',３''の形状が異なるのみである。また、取付金具Ｍ6,Ｍ7 に使用される弾性座板Ｋ',Ｋ''のボルト孔６',６''の長さも、前記弾性座板Ｋに対して異なる。
【００３２】
また、図１０（イ），（ロ）に別の外側金具Ｍ81が示されている。この外側金具Ｍ81は、座板１２にピッチＱで形成された一対の雌螺子１２ａに皿ねじ１１が螺合されたものであり、溶接によらないで、外側金具Ｍ81を製作できる利点がある。
【００３３】
なお、本発明に係る目隠板の取付金具、及びその取付方法は、歩道橋の鉄柵に対してのみならず、建物のベランダ柵等のような他の柵類に対しても当然に実施可能である。
【図面の簡単な説明】
【００３４】
【図１】歩道橋の階段部の柵Ｆに目隠板Ｐが取付けられた状態の斜視図である。
【図２】（イ），（ロ）は、それぞれ歩道橋の階段部等の傾斜部に取付けられる目隠板Ｐに形成される２個１組の多数のボルト孔４１の異なる形成方向を示す正面図である。
【図３】実施例１の取付金具Ｍ1 の分解斜視図である。
【図４】（イ），（ロ）は、それぞれ歩道橋の階段部の柵Ｆに目隠板Ｐを取付ける途中、及び取付後の取付金具Ｍ1 の部分の断面図である。
【図５】目隠板Ｐに外側金具Ｍ11を仮保持した状態の部分拡大斜視図である。
【図６】柵Ｆの各縦桟Ｃに目隠板Ｐが取付けられた（クランプされた）状態の部分拡大斜視図である。
【図７】取付金具Ｍ2 の分解斜視図である。
【図８−Ａ】（イ），（ロ）は、それぞれ本発明の実施例３，４の取付金具Ｍ3,Ｍ4 の使用状態の断面図である。
【図８−Ｂ】（ハ）は、本発明の実施例５の取付金具Ｍ5 の使用状態の断面図である。
【図９】（イ），（ロ）は、それぞれ本発明の実施例６，７の取付金具Ｍ6,Ｍ7 の使用状態の断面図である。
【図１０】（イ），（ロ）は、座板１２に２個の皿ねじ１１を螺合する前後の平面図である。
【図１１】従来の取付金具Ｍ’の使用状態の断面図である。
【符号の説明】
【００３５】
Ｃ，Ｃ',Ｃ''：縦桟（桟）
Ｄ：外側金具のボルトの外径
Ｆ：柵
Ｋ，Ｋ',Ｋ''：弾性座板
Ｍ1 〜Ｍ7 ：取付金具
Ｍ11，Ｍ61, Ｍ71，Ｍ81：外側金具
Ｍ12，Ｍ12',Ｍ12'', Ｍ12''',Ｍ52，Ｍ62, Ｍ72：内側金具
Ｐ：目隠板
Ｑ，Ｑ',Ｑ''：目隠板に形成されたボルト孔のピッチ
Ｓ1,Ｓ3,Ｓ4 ：バネ板部
Ｗ：弾性座板に形成されたボルト孔の幅
１：外側金具のボルト
２，１２：外側金具の座板
３，３',３''：内側金具のクランプ板部
３ａ, ３a'：内側金具のクランプ板部の開口
４，４’：内側金具の連結板部
４ａ：連結板部のボルト孔
６，６',６''：弾性座板のボルト孔
１１：皿ねじ
【図１】
2008101420.tif 000003
【図２】
2008101420.tif 000004
【図３】
2008101420.tif 000005
【図４】
2008101420.tif 000006
【図５】
2008101420.tif 000007
【図６】
2008101420.tif 000008
【図７】
2008101420.tif 000009
【図８−Ａ】
2008101420.tif 000010
【図８−Ｂ】
2008101420.tif 000011
【図９】
2008101420.tif 000012
【図１０】
2008101420.tif 000013
【図１１】
2008101420.tif 000014